(57)【特許請求の範囲】
【請求項１】
機能増設式テーブルタップに接続される増設用テーブルタップであって、
前記機能増設式テーブルタップは、１個のプラグに設けられた複数の栓刃を挿入するための差込口が少なくともそのプラグ１個分矩形状の一の面に形成され、この一の面と直交する短手側の一の側面に電源接続部が設けられ、この電源接続部に前記複数の栓刃を電気的に接続するための複数の刃受けバネを前記差込口下に収納する平角状のテーブルタップ本体を備え、１個のプラグに設けられた複数の栓刃を挿入するための差込口が少なくともそのプラグ１個分一の面に形成され、当該一の面と直交する一の側面に複数の栓刃が突設され、これら複数の栓刃とそれぞれ電気的に接続された複数の刃受けバネを前記差込口下に収納する断面が前記テーブルタップ本体と同寸法の平角状の前記増設用テーブルタップを、前記テーブルタップ本体に接続することにより、機能を拡張し、前記テーブルタップ本体の一の面と直交する短手側の他の側面に、前記増設用テーブルタップの一の側面から突設された複数の栓刃を挿入するための差込口が形成され、この差込口下に前記電源接続部と電気的に接続される複数の刃受けバネを収納し、
前記増設用テーブルタップは、前記増設用テーブルタップの一の面と直交する他の側面に、入力用および出力用の電話モジュラジャックを一つずつ備えるとともに、これらの電話モジュラジャックおよび収納する複数の刃受けバネに対して雷サージ保護手段を備えることを特徴とする増設用テーブルタップ。
【請求項２】
機能増設式テーブルタップに接続される増設用テーブルタップであって、
前記機能増設式テーブルタップは、１個のプラグに設けられた複数の栓刃を挿入するための差込口が少なくともそのプラグ１個分矩形状の一の面に形成され、この一の面と直交する短手側の一の側面に電源接続部が設けられ、この電源接続部に前記複数の栓刃を電気的に接続するための複数の刃受けバネを前記差込口下に収納する平角状のテーブルタップ本体を備え、１個のプラグに設けられた複数の栓刃を挿入するための差込口が少なくともそのプラグ１個分一の面に形成され、当該一の面と直交する一の側面に複数の栓刃が突設され、これら複数の栓刃とそれぞれ電気的に接続された複数の刃受けバネを前記差込口下に収納する断面が前記テーブルタップ本体と同寸法の平角状の前記増設用テーブルタップを、前記テーブルタップ本体に接続することにより、機能を拡張し、前記テーブルタップ本体の一の面と直交する短手側の他の側面に、前記増設用テーブルタップの一の側面から突設された複数の栓刃を挿入するための差込口が形成され、この差込口下に前記電源接続部と電気的に接続される複数の刃受けバネを収納し、
前記増設用テーブルタップは、前記増設用テーブルタップの差込口の電源に対して電源間にノイズ・サージ吸収素子を備えることを特徴とする増設用テーブルタップ。
【請求項３】
前記電源接続部は、複数の栓刃を有するプラグが一端に取り付けられ、それら複数の栓刃とそれぞれ電気的に接続された複数の電線を互いに絶縁状態で内包する電源コードであり、この他端でその複数の電線に、前記テーブルタップ本体の一の面における差込口下に収納された複数の刃受けバネがそれぞれ電気的に接続されることを特徴とする請求項１または２記載の増設用テーブルタップ。
【請求項４】
前記電源接続部は、前記テーブルタップ本体の一の側面に突設された複数の栓刃であり、前記テーブルタップ本体の一の面における差込口下に収納された複数の刃受けバネは、前記テーブルタップ本体の一の側面に突設された複数の栓刃にそれぞれ電気的に接続されることを特徴とする請求項１または２記載の増設用テーブルタップ。
【請求項５】
前記テーブルタップ本体は、前記電源接続部からの電源の入り切り用のスイッチを、当該テーブルタップ本体の一の面にそのスイッチの操作部を露出させた状態で備えることを特徴とする請求項１から４のいずれかに記載の増設用テーブルタップ。
【請求項６】
前記テーブルタップ本体は、当該テーブルタップ本体の他の側面における差込口に挿入される栓刃の抜け止め用の抜け止め手段を備えることを特徴とする請求項１から５のいずれかに記載の増設用テーブルタップ。
【請求項７】
前記テーブルタップ本体は、前記電源接続部からの電力供給量が１５００Ｗ以上になると、その電源接続部からの電力供給を停止するブレーカを備えることを特徴とする請求項１から４のいずれかに記載の増設用テーブルタップ。
【請求項８】
前記テーブルタップ本体は、前記電源接続部からの電力供給量が１００Ｗ、５００Ｗ、１０００Ｗになったときにそれぞれ点灯する表示灯と、その電力供給量が１５００Ｗを超えたときに鳴動するブザーとを備えることを特徴とする請求項１から４のいずれかに記載の増設用テーブルタップ。
【請求項９】
前記機能増設式テーブルタップは、複数の栓刃を有するプラグと、このプラグの複数の栓刃と一端でそれぞれ電気的に接続された複数の電線を互いに絶縁状態で内包するコード部と、このコード部の複数の電線と他端でそれぞれ電気的に接続された複数の刃受けバネを収納するジャックとにより構成される電源コードを備え、この電源コードのジャックは前記電源接続部である複数の栓刃と接続されることを特徴とする請求項４記載の増設用テーブルタップ。
【請求項１０】
増設用テーブルタップの一の面に前記差込口がプラグ複数個分形成され、これらの差込口下にそれぞれ前記複数の刃受けバネを収納し、当該増設用テーブルタップの一の側面に突設された複数の栓刃は、９０度の可動式になっていることを特徴とする請求項１から９のいずれかに記載の増設用テーブルタップ。
【請求項１１】
増設用テーブルタップの一の面に前記差込口がプラグ複数個分形成され、これらの差込口下にそれぞれ前記複数の刃受けバネを収納し、当該増設用テーブルタップの一の側面に突設された複数の栓刃は、１８０度の可動式になっていることを特徴とする請求項１から９のいずれかに記載の増設用テーブルタップ。
【請求項１２】
増設用テーブルタップの一の面に前記差込口がプラグ複数個分形成され、これらの差込口下にそれぞれ前記複数の刃受けバネを収納し、それら差込口に挿入される栓刃の抜け止め用の抜け止め手段を備えることを特徴とする請求項１から１１のいずれかに記載の増設用テーブルタップ。
【発明の詳細な説明】
【０００１】
【発明の属する技術分野】
本発明は、テーブルタップに関するものである。
【０００２】
【従来の技術】
従来、電源コードが取り付けられたテーブルタップが種々市販されている。
【０００３】
【発明が解決しようとする課題】
しかしながら、従来のテーブルタップは、１商品として完結しており、あとから例えば差込口の数を増やす必要が生じた場合、あるいはノイズフィルタなどの機能を持たせる必要が生じた場合には、要求にあったテーブルタップを新たに購入して、いま使っているテーブルタップと取り替える必要があった。
【０００４】
本発明は、上記事情に鑑みてなされたものであり、機能を容易に拡張することができる拡張性に優れた増設用テーブルタップを提供することを目的とする。
【０００５】
【課題を解決するための手段】
上記課題を解決するための請求項１記載の発明は、機能増設式テーブルタップに接続される増設用テーブルタップであって、前記機能増設式テーブルタップは、１個のプラグに設けられた複数の栓刃を挿入するための差込口が少なくともそのプラグ１個分矩形状の一の面に形成され、この一の面と直交する短手側の一の側面に電源接続部が設けられ、この電源接続部に前記複数の栓刃を電気的に接続するための複数の刃受けバネを前記差込口下に収納する平角状のテーブルタップ本体を備え、１個のプラグに設けられた複数の栓刃を挿入するための差込口が少なくともそのプラグ１個分一の面に形成され、当該一の面と直交する一の側面に複数の栓刃が突設され、これら複数の栓刃とそれぞれ電気的に接続された複数の刃受けバネを前記差込口下に収納する断面が前記テーブルタップ本体と同寸法の平角状の前記増設用テーブルタップを、前記テーブルタップ本体に接続することにより、機能を拡張し、前記テーブルタップ本体の一の面と直交する短手側の他の側面に、前記増設用テーブルタップの一の側面から突設された複数の栓刃を挿入するための差込口が形成され、この差込口下に前記電源接続部と電気的に接続される複数の刃受けバネを収納し、前記増設用テーブルタップは、前記増設用テーブルタップの一の面と直交する他の側面に、入力用および出力用の電話モジュラジャックを一つずつ備えるとともに、これらの電話モジュラジャックおよび収納する複数の刃受けバネに対して雷サージ保護手段を備えることを特徴とする。
【０００６】
請求項２記載の発明は、機能増設式テーブルタップに接続される増設用テーブルタップであって、前記機能増設式テーブルタップは、１個のプラグに設けられた複数の栓刃を挿入するための差込口が少なくともそのプラグ１個分矩形状の一の面に形成され、この一の面と直交する短手側の一の側面に電源接続部が設けられ、この電源接続部に前記複数の栓刃を電気的に接続するための複数の刃受けバネを前記差込口下に収納する平角状のテーブルタップ本体を備え、１個のプラグに設けられた複数の栓刃を挿入するための差込口が少なくともそのプラグ１個分一の面に形成され、当該一の面と直交する一の側面に複数の栓刃が突設され、これら複数の栓刃とそれぞれ電気的に接続された複数の刃受けバネを前記差込口下に収納する断面が前記テーブルタップ本体と同寸法の平角状の前記増設用テーブルタップを、前記テーブルタップ本体に接続することにより、機能を拡張し、前記テーブルタップ本体の一の面と直交する短手側の他の側面に、前記増設用テーブルタップの一の側面から突設された複数の栓刃を挿入するための差込口が形成され、この差込口下に前記電源接続部と電気的に接続される複数の刃受けバネを収納し、前記増設用テーブルタップは、前記増設用テーブルタップの差込口の電源に対して電源間にノイズ・サージ吸収素子を備えることを特徴とする。
【０００７】
請求項３記載の発明は、請求項１または２記載の増設用テーブルタップにおいて、前記電源接続部は、複数の栓刃を有するプラグが一端に取り付けられ、それら複数の栓刃とそれぞれ電気的に接続された複数の電線を互いに絶縁状態で内包する電源コードであり、この他端でその複数の電線に、前記テーブルタップ本体の一の面における差込口下に収納された複数の刃受けバネがそれぞれ電気的に接続されることを特徴とする。
【０００８】
請求項４記載の発明は、請求項１または２記載の増設用テーブルタップにおいて、前記電源接続部は、前記テーブルタップ本体の一の側面に突設された複数の栓刃であり、前記テーブルタップ本体の一の面における差込口下に収納された複数の刃受けバネは、前記テーブルタップ本体の一の側面に突設された複数の栓刃にそれぞれ電気的に接続されることを特徴とする。
【０００９】
請求項５記載の発明は、請求項１から４いずれかに記載の増設用テーブルタップにおいて、前記テーブルタップ本体は、前記電源接続部からの電源の入り切り用のスイッチを、当該テーブルタップ本体の一の面にそのスイッチの操作部を露出させた状態で備えることを特徴とする。
【００１０】
請求項６記載の発明は、請求項１から５のいずれかに記載の増設用テーブルタップにおいて、前記テーブルタップ本体は、当該テーブルタップ本体の他の側面における差込口に挿入される栓刃の抜け止め用の抜け止め手段を備えることを特徴とする。
【００１１】
請求項７記載の発明は、請求項１から４のいずれかに記載の増設用テーブルタップにおいて、前記テーブルタップ本体は、前記電源接続部からの電力供給量が１５００Ｗ以上になると、その電源接続部からの電力供給を停止するブレーカを備えることを特徴とする。
【００１２】
請求項８記載の発明は、請求項１から４のいずれかに記載の増設用テーブルタップにおいて、前記テーブルタップ本体は、前記電源接続部からの電力供給量が１００Ｗ、５００Ｗ、１０００Ｗになったときにそれぞれ点灯する表示灯と、その電力供給量が１５００Ｗを超えたときに鳴動するブザーとを備えることを特徴とする。
【００１３】
請求項９記載の発明は、請求項４記載の増設用テーブルタップにおいて、前記機能増設式テーブルタップは、複数の栓刃を有するプラグと、このプラグの複数の栓刃と一端でそれぞれ電気的に接続された複数の電線を互いに絶縁状態で内包するコード部と、このコード部の複数の電線と他端でそれぞれ電気的に接続された複数の刃受けバネを収納するジャックとにより構成される電源コードを備え、この電源コードのジャックは前記電源接続部である複数の栓刃と接続されることを特徴とする。
【００１４】
請求項１０記載の発明は、請求項１から９のいずれかに記載の増設用テーブルタップにおいて、増設用テーブルタップの一の面に前記差込口がプラグ複数個分形成され、これらの差込口下にそれぞれ前記複数の刃受けバネを収納し、当該増設用テーブルタップの一の側面に突設された複数の栓刃は、９０度の可動式になっていることを特徴とする。
【００１５】
請求項１１記載の発明は、請求項１から９のいずれかに記載の増設用テーブルタップにおいて、増設用テーブルタップの一の面に前記差込口がプラグ複数個分形成され、これらの差込口下にそれぞれ前記複数の刃受けバネを収納し、当該増設用テーブルタップの一の側面に突設された複数の栓刃は、１８０度の可動式になっていることを特徴とする。
【００１８】
請求項１２記載の発明は、請求項１から１１のいずれかに記載の増設用テーブルタップにおいて、増設用テーブルタップの一の面に前記差込口がプラグ複数個分形成され、これらの差込口下にそれぞれ前記複数の刃受けバネを収納し、それら差込口に挿入される栓刃の抜け止め用の抜け止め手段を備えることを特徴とする。
【００１９】
【発明の実施の形態】
（第１実施形態）
図１は各種の機能増設式テーブルタップおよび増設用テーブルタップを互いに接続した状態で見た正面図である。第１実施形態の説明では、図１の括弧内の符号を適宜使用する。
【００２０】
第１実施形態における機能増設式テーブルタップ１は、図１に示すように、各種（図では３種類）用意されており、いずれも図示しない１個のプラグ（電源プラグ）に設けられた複数（第１実施形態では一対）の栓刃を挿入するための差込口１０１が、プラグ３個分矩形状の一の面（図では正面）に形成され、この一の面と直交する短手側（図では右側）の一の側面に電源接続部１１が設けられ、この電源接続部１１に上記各プラグの複数の栓刃を電気的に接続するための複数の刃受けバネ（図示せず）を各差込口１０１下に収納する平角状で樹脂製のテーブルタップ本体１０を備えている。
【００２１】
電源接続部１１は、複数の栓刃を有するプラグが図外の一端に取り付けられ、それら複数の栓刃とそれぞれ電気的に接続された複数の電線を互いに絶縁状態で内包する電源コードであり、この他端でその複数の電線に、テーブルタップ本体１０の一の面における各差込口１０１下に収納された複数の刃受けバネが、それぞれ導電性部材（例えば金属部材など）を介して電気的に接続される。
【００２２】
ここで、機能増設式テーブルタップ１（１Ａ）は、図１（ａ），（ｅ）に示すように、電源接続部１１からの電源の入り切り用の照光式スイッチ１０２を、テーブルタップ本体１０の一の面にその照光式スイッチ１０２の操作部を露出させた状態で備えている。なお、照光式スイッチは、入り状態で点灯する表示灯を有する。
【００２３】
機能増設式テーブルタップ１（１Ｂ）は、図１（ｂ），（ｄ）に示すように、電源接続部１１からの電力供給量が１５００Ｗ以上になると、電源接続部１１からの電力供給を停止するブレーカ１０３（図では１５Ａブレーカ）を、テーブルタップ本体１０の一の面にそのブレーカ１０３のスイッチ１０３ａを露出させた状態で備えている。
【００２４】
機能増設式テーブルタップ１（１Ｃ）は、図１（ｃ），（ｆ）に示すように、表示窓１０４ａ，１０４ｂ，１０４ｃの直下に、電源接続部１１からの電力供給量が１００Ｗ、５００Ｗ、１０００Ｗになったときにそれぞれ点灯するＬＥＤなどの表示灯を収納しているとともに、ブザー音出力窓１０５の直下に、電力供給量が１５００Ｗを超えたときに鳴動するブザーを収納している。
【００２５】
一方、増設用テーブルタップ２は、図１に示すように、各種（図では４種類）用意されており、いずれも樹脂により断面が機能増設式テーブルタップ１と同寸法の平角状に形成され、１個のプラグ（図示せず）に設けられた複数の栓刃を挿入するための差込口２０１（２０１Ａ）が、少なくともプラグ１個分一の面（図では正面）に形成されている。以下、これら各種の増設用テーブルタップ２について図面をさらに参照しながら説明する。
【００２６】
図２は図１（ａ），（ｂ），（ｃ），（ｄ），（ｆ）に示す増設用テーブルタップ２（２Ａ）の正面図、下側面図、背面図、左側面図および右側面図、図３は同増設用テーブルタップ２（２Ａ）が有する雷サージ保護機能部の回路図、図４は同雷サージ保護機能部による効果の説明図である。
【００２７】
増設用テーブルタップ２（２Ａ）は、図２，図３に示すように、差込口２０１が、プラグ１個分一の面に形成され、この一の面と直交する一の側面（図２では右側面）に複数の栓刃２０２が突設され、これら複数の栓刃２０２（図３では交流電源ＡＣ）とそれぞれ導電性部材を介して電気的に接続された複数の刃受けバネ２００を差込口２０１下に収納している。
【００２８】
また、増設用テーブルタップ２（２Ａ）は、差込口２０１がプラグ１個分の小型であるほか、図２（ｂ）に示すように、複数の栓刃２０２が背面側にも立設することができる９０度の可動式であり、様々な設置場所に柔軟に対応することができる構成になっている。
【００２９】
さらに、増設用テーブルタップ２（２Ａ）は、一の面と直交する他の側面（図２では左側面）に、入力用および出力用の６極２芯の電話モジュラジャック２０３を一つずつ備えているとともに、雷サージ保護機能部２０４を収納している。
【００３０】
この雷サージ保護機能部２０４は、図３に示すように、一対のバリスタＺ１、ダイオードＤ１、抵抗Ｒ１、発光ダイオードＬＥＤ、コンデンサＣ１、２極間アレスタＡｒ１および一対のバリスタＺ２により構成され、電話モジュラジャック２０３および複数の刃受けバネ２００に対して設けられている。
【００３１】
この回路構成によれば、一対の栓刃２０２から侵入してきた誘導雷サージがＺ１→Ａｒ１→Ｚ２の経路を通って電話側の保安器に流れるので、負荷となる機器を保護することができるとともに、電話側からの侵入についても逆経路で機器を保護することができる。電源線側に避雷した場合、接続されている高機能電話、ＦＡＸ、パソコンまたは周辺機器などの機器（図４の保護する機器）の電源側と電話線側の両端に電位差が生じるが、雷サージ保護機能部２０４により電位差が制限され、機器の保護が可能になる。電話線側に避雷した場合も同様である。
【００３２】
そして、雷サージ保護機能部２０４の正常動作中はＬＥＤが点灯するが、この点灯は、増設用テーブルタップ２（２Ａ）の一の面に形成された表示窓２０４ａを通して確認可能になっている。ただし、数回のサージ吸収によりバリスタの寿命（短絡）で負荷を保護することができなくなった場合、パターンヒューズＦが溶断してＬＥＤは点灯しなくなる。この場合、雷サージ保護機能部２０４が機能しなくなるが、差込口２０１の使用には問題はない。
【００３３】
この増設用テーブルタップ２（２Ａ）は、例えば単独で壁コンセントに接続することも可能であり、電話またはＦＡＸなどの機器を接続するのに適している。
【００３４】
図５は図１（ｄ）に示す増設用テーブルタップ２（２Ｂ）の正面図、下側面図、背面図、左側面図および右側面図、図６は同増設用テーブルタップ２（２Ｂ）が有するノイズ・サージ低減機能部の回路図である。
【００３５】
増設用テーブルタップ２（２Ｂ）は、図５，図６に示すように、差込口２０１が、プラグ３個分一の面に形成され、この一の面と直交する一の側面（図５では右側面）に複数の栓刃２０２が突設され、これら複数の栓刃２０２（図６では交流電源ＡＣ）とそれぞれ導電性部材を介して電気的に接続された複数（一対）の刃受けバネ２００を各差込口２０１下に収納している。
【００３６】
また、増設用テーブルタップ２（２Ｂ）は、図５（ｂ）に示すように、複数の栓刃２０２が背面側にも立設することができる９０度の可動式であるほか、図６に示すように、バリスタＺ１およびコンデンサＣ１によりなるノイズ・サージ低減機能部２０５を備える構成になっている。この増設用テーブルタップ２（２Ｂ）は、例えば、単独で壁コンセントに接続することも可能である。
【００３７】
さらに、増設用テーブルタップ２（２Ｂ）は、一の面と直交する他の側面（図５では左側面）に、１個のプラグ（図示せず）に設けられた複数の栓刃を挿入するための差込口２０１Ａがプラグ１個分形成され、この差込口２０１Ａ下に複数の栓刃２０２とそれぞれ導電性部材を介して電気的に接続される複数の刃受けバネを収納している。そして、この差込口２０１Ａに挿入される栓刃の抜け止め用の抜け止め機構が従来と同様に設けられている。すなわち、差込口２０１Ａに設けられた一対の扇状の孔ＴＨ１にプラグの一対の栓刃を挿入して、各栓刃が増設用テーブルタップ２（２Ｂ）の一の面と直交する位置に回動すれば、そのプラグが抜け止め機構によって増設用テーブルタップ２（２Ｂ）の差込口２０１Ａから抜け止めされる構造になっているのである。
【００３８】
図７は図１（ｅ）に示す増設用テーブルタップ２（２Ｃ）の正面図、下側面図、背面図、左側面図および右側面図である。
【００３９】
増設用テーブルタップ２（２Ｃ）は、図７に示すように、差込口２０１が、プラグ３個分一の面に形成され、この一の面と直交する一の側面（図では右側面）に複数の栓刃２０２が突設され、これらの複数の栓刃２０２とそれぞれ導電性部材を介して電気的に接続された複数（一対）の刃受けバネを各差込口２０１下に収納している。
【００４０】
また、増設用テーブルタップ２（２Ｃ）は、図７（ｂ）に示すように、複数の栓刃２０２が背面側にも立設することができる９０度の可動式であるほか、収納する全ての刃受けバネへの電源の入り切り用の照光式スイッチ２０６を、一の面にその照光式スイッチ２０６の操作部を露出させた状態で備える構成になっている。この増設用テーブルタップ２（２Ｃ）は、例えば、単独で壁コンセントに接続することも可能である。
【００４１】
図８は図１（ｆ）に示す増設用テーブルタップ２（２Ｄ）の正面図、下側面図、背面図、左側面図および右側面図である。
【００４２】
増設用テーブルタップ２（２Ｄ）は、図８に示すように、差込口２０１Ａが、プラグ３個分一の面に形成され、この一の面と直交する一の側面（図では右側面）に複数の栓刃２０２が突設され、これらの複数の栓刃２０２とそれぞれ導電性部材を介して電気的に接続された複数（一対）の刃受けバネを各差込口２０１Ａ下に収納している。
【００４３】
また、増設用テーブルタップ２（２Ｄ）は、図８（ｂ）に示すように、複数の栓刃２０２が背面側にも立設することができる９０度の可動式であるほか、図８（ｄ）に示すように、一の面と直交する他の側面（図では左側面）に、１個のプラグ（図示せず）に設けられた複数の栓刃を挿入するための差込口２０１Ａがプラグ１個分形成され、この差込口２０１Ａ下に複数の栓刃２０２とそれぞれ導電性部材を介して電気的に接続される複数の刃受けバネを収納している。
【００４４】
さらに、各差込口２０１Ａに挿入される栓刃の抜け止め用の抜け止め機構が従来と同様に設けられている。この増設用テーブルタップ２（２Ｄ）は、例えば、単独で壁コンセントに接続することも可能である。
【００４５】
図９は図１（ａ），（ｅ）に示す機能増設式テーブルタップ１（１Ａ）の正面図、下側面図、背面図および左側面図である。
【００４６】
図９に示すように、上述した機能増設式テーブルタップ１Ａに限らず、第１実施形態における各種機能増設式テーブルタップ１は、一の面と直交する他の側面（図では左側面）に、１個のプラグ（図示せず）に設けられた複数の栓刃を挿入するための差込口１００Ａがプラグ１個分形成され、この差込口１００Ａ下に電源接続部１１（電源コードの複数の電線）とそれぞれ導電性部材を介して電気的に接続される複数の刃受けバネを収納している。そして、この差込口１００Ａに挿入される栓刃の抜け止め用の抜け止め機構が従来と同様に設けられている。
【００４７】
このような構成の機能増設式テーブルタップ１によれば、単独で通常のテーブルタップとして使用することができるほか、図１に示すように、機能増設式テーブルタップ１および増設用テーブルタップ２を各種組み合わせることにより、要求に合うように機能を容易に拡張することができる。
【００４８】
例えば図１０に示す組合せのシステム・テーブルタップによれば、増設用テーブルタップ２Ａの雷サージ保護機能部２０４が機能増設式テーブルタップ１Ａにも作用するから、４個口の雷サージ保護機能付きのテーブルタップが得られることになる。この場合、パソコンやその周辺機器などの複数の機器を保護する場合に適したものとなる。また、照光式スイッチ１０２により差込口全ての電源を入り切りすることができる。
【００４９】
図１（ｅ）の例では、照光式スイッチ１０２により６個の差込口全ての電源を入り切りすることができるほか、照光式スイッチ２０６により増設側の３個の差込口の電源を入り切りすることができる。
【００５０】
また、機能増設式テーブルタップ１および増設用テーブルタップ２の双方の断面寸法が揃っているので、一体感のあるスッキリしたデザインに仕上がるシステム・テーブルタップが得られる。また、双方の接続部分に段差が生じることがないので、段差に外力が加わることもない。
【００５１】
機能増設式テーブルタップ１Ａによれば、照光式スイッチ１０２を備えているので、単独の機能増設式テーブルタップ１Ａ、あるいは機能増設式テーブルタップ１Ａおよび少なくとも一つの増設用テーブルタップ２から、各機器への電源を照光式スイッチ１０２により入り切りすることができる。
【００５２】
機能増設式テーブルタップ１Ｂによれば、ブレーカ１０３を備えているので、単独の機能増設式テーブルタップ１Ｂ、あるいは機能増設式テーブルタップ１Ｂおよび少なくとも一つの増設用テーブルタップ２から、各機器に供給される電力を最大１５００Ｗに制限することができる。
【００５３】
機能増設式テーブルタップ１Ｃによれば、表示灯およびブザーを備えているので、単独の機能増設式テーブルタップ１Ｃ、あるいは機能増設式テーブルタップ１Ｃおよび少なくとも一つの増設用テーブルタップ２から、各機器への電力供給量の大まかなレベルを知ることができるほか、１５００Ｗ以上に及ぶ機器の接続を止めるようにブザーの鳴動により警告することができる。これにより、ブザーが鳴動するまでは、過電流を気にせずに安全な使用が可能になる。
【００５４】
増設用テーブルタップ２Ａによれば、これに電源線と電話線を同時に使用するファクシミリやパソコンなどの機器を接続すれば、電源線および電話線の双方からの誘導雷サージから機器を保護することができる。
【００５５】
増設用テーブルタップ２Ｂによれば、機能増設式テーブルタップ１の差込口が不足したとき、機能増設式テーブルタップ１に本増設用テーブルタップ２Ｂを接続すれば、差込口を増やすことができる。
【００５６】
増設用テーブルタップ２Ｃによれば、本増設用テーブルタップ２Ｃから、各機器への電源を照光式スイッチ２０６により一括して入り切りすることができる。
【００５７】
さらに、増設用テーブルタップ２によれば、栓刃２０２が９０度の可動式になっているから、様々な設置場所に柔軟に対応することができる。
【００５８】
（参考例）
図１１は各種の機能増設式テーブルタップの正面図である。本参考例の説明でも図１１の括弧内の符号を適宜使用する。
【００５９】
参考例の機能増設式テーブルタップ１は、図１１に示すように、各種用意されており、テーブルタップ本体１０の一の側面に突設された複数の栓刃１１０によりなる電源接続部１１Ａを電源接続部１１に代えて備える以外は第１実施形態と同様に構成される。すなわち、図１１に示す機能増設式テーブルタップ１Ｄ，１Ｅ，１Ｆは、それぞれ、電源接続部１１Ａを電源接続部１１に代えて備える以外は第１実施形態の機能増設式テーブルタップ１Ａ，１Ｂ，１Ｃと同様に構成されるのである。なお、複数の栓刃１１０は、それぞれ導電性部材を介して各差込口（１０１，１００Ａ）下に収納された複数の刃受けバネと電気的に接続される。
【００６０】
この参考例の機能増設式テーブルタップ１Ｄ，１Ｅ，１Ｆによれば、機能増設式テーブルタップ１に増設用テーブルタップ２を接続することで、機能を容易に拡張することができる。また、図１１（ａ），（ｂ）に示すように、複数の栓刃３１１を有するプラグ３１と、このプラグ３１の複数の栓刃３１１と一端でそれぞれ電気的に接続された複数の電線を互いに絶縁状態で内包するコード部３０と、このコード部３０の複数の電線と他端でそれぞれ電気的に接続された複数の刃受けバネを収納するジャック３２とにより構成される電源コード３を使用すれば、参考例の機能増設式テーブルタップ１および電源コード３を通常のテーブルタップとして使用することができる。
【００６１】
（第２実施形態）
図１２は第２実施形態の増設用テーブルタップの正面図、下側面図、背面図、左側面図および右側面図、図１３は第２実施形態の増設用テーブルタップの使用例の説明図である。
【００６２】
第２実施形態の増設用テーブルタップ２は、この一の側面に突設された複数の栓刃２０２が１８０度の可動式になっている以外は第１実施形態と同様に構成される。例えば、第１実施形態の増設用テーブルタップ２Ｂでは、図５（ｂ）に示したように、複数の栓刃２０２が９０度の可動式になっているのに対し、第２実施形態の増設用テーブルタップ２Ｆでは、図１２（ｂ）に示すように、複数の栓刃２０２が背面側に加えて正面側にも立設する１８０度の可動式になっているのである。
【００６３】
この第２実施形態の増設用テーブルタップ２によれば、図１３に示すように、様々な設置場所により柔軟に安定した状態で対応することができる。図１３の例では、増設用テーブルタップ２Ｆが機能増設式テーブルタップ１Ａに接続され、机やラックなどのコーナに設置されている。
【００６４】
【発明の効果】
以上のことから明らかなように、請求項１記載の発明は、機能増設式テーブルタップに接続される増設用テーブルタップであって、前記機能増設式テーブルタップは、１個のプラグに設けられた複数の栓刃を挿入するための差込口が少なくともそのプラグ１個分矩形状の一の面に形成され、この一の面と直交する短手側の一の側面に電源接続部が設けられ、この電源接続部に前記複数の栓刃を電気的に接続するための複数の刃受けバネを前記差込口下に収納する平角状のテーブルタップ本体を備え、１個のプラグに設けられた複数の栓刃を挿入するための差込口が少なくともそのプラグ１個分一の面に形成され、この一の面と直交する一の側面に複数の栓刃が突設され、これら複数の栓刃とそれぞれ電気的に接続された複数の刃受けバネを前記差込口下に収納する断面が前記テーブルタップ本体と同寸法の平角状の前記増設用テーブルタップを、前記テーブルタップ本体に接続することにより、機能を拡張し、前記テーブルタップ本体の一の面と直交する短手側の他の側面に、前記増設用テーブルタップの一の側面から突設された複数の栓刃を挿入するための差込口が形成され、この差込口下に前記電源接続部と電気的に接続される複数の刃受けバネを収納し、前記増設用テーブルタップは、前記増設用テーブルタップの一の面と直交する他の側面に、入力用および出力用の電話モジュラジャックを一つずつ備えるとともに、これらの電話モジュラジャックおよび収納する複数の刃受けバネに対して雷サージ保護手段を備えることを特徴とするので、機能増設式テーブルタップを単独で使用することができるほか、機能増設式テーブルタップに増設用テーブルタップを接続することで、機能を容易に拡張することができ、拡張性に優れたテーブルタップを提供することができる。また、機能増設式テーブルタップおよび増設用テーブルタップの双方の断面寸法を揃えることも容易であり、双方の断面寸法を揃えれば、一体感のあるスッキリしたデザインに仕上げることができる。さらに、机の裏側やラックなどへの収納にも適したものとなる。その上、この増設用テーブルタップに電源線と電話線を同時に使用するファクシミリやパソコンなどの機器を接続すれば、電源線および電話線の双方からの誘導雷サージから機器を保護することができる。
【００６５】
請求項２記載の発明によれば、機能増設式テーブルタップに接続される増設用テーブルタップであって、前記機能増設式テーブルタップは、１個のプラグに設けられた複数の栓刃を挿入するための差込口が少なくともそのプラグ１個分矩形状の一の面に形成され、この一の面と直交する短手側の一の側面に電源接続部が設けられ、この電源接続部に前記複数の栓刃を電気的に接続するための複数の刃受けバネを前記差込口下に収納する平角状のテーブルタップ本体を備え、１個のプラグに設けられた複数の栓刃を挿入するための差込口が少なくともそのプラグ１個分一の面に形成され、この一の面と直交する一の側面に複数の栓刃が突設され、これら複数の栓刃とそれぞれ電気的に接続された複数の刃受けバネを前記差込口下に収納する断面が前記テーブルタップ本体と同寸法の平角状の前記増設用テーブルタップを、前記テーブルタップ本体に接続することにより、機能を拡張し、前記テーブルタップ本体の一の面と直交する短手側の他の側面に、前記増設用テーブルタップの一の側面から突設された複数の栓刃を挿入するための差込口が形成され、この差込口下に前記電源接続部と電気的に接続される複数の刃受けバネを収納し、前記増設用テーブルタップは、前記増設用テーブルタップの差込口の電源に対して電源間にノイズ・サージ吸収素子を備えることを特徴とするので、機能増設式テーブルタップを単独で使用することができるほか、機能増設式テーブルタップに増設用テーブルタップを接続することで、機能を容易に拡張することができ、拡張性に優れたテーブルタップを提供することができる。また、機能増設式テーブルタップおよび増設用テーブルタップの双方の断面寸法を揃えることも容易であり、双方の断面寸法を揃えれば、一体感のあるスッキリしたデザインに仕上げることができる。さらに、机の裏側やラックなどへの収納にも適したものとなる。その上、本増設用テーブルタップを機能増設式テーブルタップに接続すれば、この機能増設式テーブルタップにもノイズ・サージ吸収素子による効果が得られる。
【００６６】
請求項３記載の発明によれば、請求項１または２記載の増設用テーブルタップにおいて、前記電源接続部は、複数の栓刃を有するプラグが一端に取り付けられ、それら複数の栓刃とそれぞれ電気的に接続された複数の電線を互いに絶縁状態で内包する電源コードであり、この他端でその複数の電線に、前記テーブルタップ本体の一の面における差込口下に収納された複数の刃受けバネがそれぞれ電気的に接続されるので、機能増設式テーブルタップに増設用テーブルタップを接続することで、機能を容易に拡張することができるほか、機能増設式テーブルタップを単独で通常のテーブルタップとして使用することができる。
【００６７】
請求項４記載の発明によれば、請求項１または２記載の増設用テーブルタップにおいて、前記電源接続部は、前記テーブルタップ本体の一の側面に突設された複数の栓刃であり、前記テーブルタップ本体の一の面における差込口下に収納された複数の刃受けバネは、前記テーブルタップ本体の一の側面に突設された複数の栓刃にそれぞれ電気的に接続されるので、拡張性に優れたテーブルタップを提供することができる。
【００６８】
請求項５記載の発明によれば、請求項１から４のいずれかに記載の増設用テーブルタップにおいて、前記テーブルタップ本体は、前記電源接続部からの電源の入り切り用のスイッチを、当該テーブルタップ本体の一の面にそのスイッチの操作部を露出させた状態で備えるので、単独の機能増設式テーブルタップ、あるいは機能増設式テーブルタップおよび少なくとも一つの増設用テーブルタップから、各機器への電源をスイッチにより入り切りすることができる。
【００６９】
請求項６記載の発明によれば、請求項１から５のいずれかに記載の増設用テーブルタップにおいて、前記テーブルタップ本体は、当該テーブルタップ本体の他の側面における差込口に挿入される栓刃の抜け止め用の抜け止め手段を備えるので、増設用テーブルタップの一の側面における複数の栓刃を、テーブルタップ本体の他の側面における差込口に挿入したとき、複数の栓刃が抜け止め手段によって差込口から抜け止めされるから、増設用テーブルタップが機能増設式テーブルタップから外れ難くなって、接続の信頼性が良くなる。
【００７０】
請求項７記載の発明によれば、請求項１から４のいずれかに記載の増設用テーブルタップにおいて、前記テーブルタップ本体は、前記電源接続部からの電力供給量が１５００Ｗ以上になると、その電源接続部からの電力供給を停止するブレーカを備えるので、単独の機能増設式テーブルタップ、あるいは機能増設式テーブルタップおよび少なくとも一つの増設用テーブルタップから、各機器に供給される電力を最大１５００Ｗに制限することができる。
【００７１】
請求項８記載の発明によれば、請求項１から４のいずれかに記載の増設用テーブルタップにおいて、前記テーブルタップ本体は、前記電源接続部からの電力供給量が１００Ｗ、５００Ｗ、１０００Ｗになったときにそれぞれ点灯する表示灯と、その電力供給量が１５００Ｗを超えたときに鳴動するブザーとを備えるので、単独の機能増設式テーブルタップ、あるいは機能増設式テーブルタップおよび少なくとも一つの増設用テーブルタップから、各機器への電力供給量の大まかなレベルを知ることができるほか、１５００Ｗ以上に及ぶ機器の接続を止めるようにブザーの鳴動により警告することができる。これにより、ブザーが鳴動するまでは、過電流を気にせずに安全な使用が可能になる。
【００７２】
請求項９記載の発明によれば、請求項４記載の増設用テーブルタップにおいて、前記機能増設式テーブルタップは、複数の栓刃を有するプラグと、このプラグの複数の栓刃と一端でそれぞれ電気的に接続された複数の電線を互いに絶縁状態で内包するコード部と、このコード部の複数の電線と他端でそれぞれ電気的に接続された複数の刃受けバネを収納するジャックとにより構成される電源コードを備え、この電源コードのジャックは前記電源接続部である複数の栓刃と接続されるので、機能増設式テーブルタップに増設用テーブルタップを接続することで、機能を容易に拡張することができるほか、機能増設式テーブルタップを単独で通常のテーブルタップとして使用することができる。
【００７３】
請求項１０記載の発明は、請求項１から９のいずれかに記載の増設用テーブルタップにおいて、増設用テーブルタップの一の面に前記差込口がプラグ複数個分形成され、これらの差込口下にそれぞれ前記複数の刃受けバネを収納し、当該増設用テーブルタップの一の側面に突設された複数の栓刃は、９０度の可動式になっているので、機能増設式テーブルタップの差込口が不足したとき、機能増設式テーブルタップに本増設用テーブルタップを接続すれば、差込口を増やすことができる。また、機能増設式テーブルタップに接続するための栓刃が９０度の可動式になっているから、様々な設置場所に柔軟に対応することができる。
【００７４】
請求項１１記載の発明は、請求項１から９のいずれかに記載の増設用テーブルタップにおいて、増設用テーブルタップの一の面に前記差込口がプラグ複数個分形成され、これらの差込口下にそれぞれ前記複数の刃受けバネを収納し、当該増設用テーブルタップの一の側面に突設された複数の栓刃は、１８０度の可動式になっているので、機能増設式テーブルタップの差込口が不足したとき、機能増設式テーブルタップに本増設用テーブルタップを接続すれば、差込口を増やすことができる。また、機能増設式テーブルタップに接続するための栓刃が１８０度の可動式になっているから、机やラックなどのコーナーなど、様々な設置場所により柔軟に対応することができる。
【００７７】
請求項１２記載の発明は、請求項１から１１のいずれかに記載の増設用テーブルタップにおいて、増設用テーブルタップの一の面に前記差込口がプラグ複数個分形成され、これらの差込口下にそれぞれ前記複数の刃受けバネを収納し、それら差込口に挿入される栓刃の抜け止め用の抜け止め手段を備えるので、機器の電源プラグを増設用テーブルタップの一の面における差込口に挿入したとき、その電源プラグが抜け止め手段によって増設用テーブルタップの差込口から抜け止めされるから、接続の信頼性が良くなる。
【図面の簡単な説明】
【図１】  第１実施形態の各種の機能増設式テーブルタップおよび増設用テーブルタップを互いに接続した状態で見た正面図である。
【図２】  図１（ａ），（ｂ），（ｃ），（ｄ），（ｆ）の左端に位置する増設用テーブルタップの正面図、下側面図、背面図、左側面図および右側面図である。
【図３】  同増設用テーブルタップが有する雷サージ保護機能部の回路図である。
【図４】  同雷サージ保護機能部による効果の説明図である。
【図５】  図１（ｄ）の中央に位置する増設用テーブルタップの正面図、下側面図、背面図、左側面図および右側面図である。
【図６】  同増設用テーブルタップが有するノイズ・サージ低減機能部の回路図である。
【図７】  図１（ｅ）の左端に位置する増設用テーブルタップの正面図、下側面図、背面図、左側面図および右側面図である。
【図８】  図１（ｆ）の中央に位置する増設用テーブルタップの正面図、下側面図、背面図、左側面図および右側面図である。
【図９】  図１（ａ），（ｅ）に示す機能増設式テーブルタップの正面図、下側面図、背面図および左側面図である。
【図１０】  図１（ａ）の拡大図である。
【図１１】  第１実施形態の各種の機能増設式テーブルタップの正面図である。
【図１２】  第２実施形態の増設用テーブルタップの正面図、下側面図、背面図、左側面図および右側面図である。
【図１３】  第２実施形態の増設用テーブルタップの使用例の説明図である。
【符号の説明】
１，１Ａ，１Ｂ，１Ｃ  機能増設式テーブルタップ
１０  テーブルタップ本体
１００Ａ  差込口
１０１  差込口
１０２  照光式スイッチ
１０３  ブレーカ
１０３ａ  スイッチ
１０４ａ，１０４ｂ，１０４ｃ  表示窓
１０５  ブザー音出力窓
１１，１１Ａ  電源接続部
１１０  栓刃
２，２Ａ，２Ｂ，２Ｃ，２Ｄ，２Ｆ  増設用テーブルタップ
２００  刃受けバネ
２０１  差込口
２０２  栓刃
２０３  電話モジュラジャック
２０４  雷サージ保護機能部
２０４ａ  表示窓
２０５  ノイズ・サージ低減機能部
２０６  照光式スイッチ
【図１】
0004023116.tif 000002
【図２】
0004023116.tif 000003
【図３】
0004023116.tif 000004
【図４】
0004023116.tif 000005
【図５】
0004023116.tif 000006
【図６】
0004023116.tif 000007
【図７】
0004023116.tif 000008
【図８】
0004023116.tif 000009
【図９】
0004023116.tif 000010
【図１０】
0004023116.tif 000011
【図１１】
0004023116.tif 000012
【図１２】
0004023116.tif 000013
【図１３】
0004023116.tif 000014